(57)【要約】      （修正有）【課題】両手を使わないと取り外すのが困難なバックル付バンド、バックルを提供する。【解決手段】バンド両端に第１、第２のバックル部１０、３０を設け、両者に先端に膨大部１９と２０、３９と４０が形成された可撓性有る一対のアーム１３と１４、３３と３４から成る第１、第２のアーム部１５、３５を設け、第１のバックル部１０に第２のアーム部３５を撓ませながら挿入可能な第１のスロット部を設け、奥に第２のアーム部３５の膨大部３９と４０が横外側に開いて係合する開口２１から成る第１の開口部を形成し、第２のバックル部３０に第１のアーム部１５を撓ませながら挿入可能な第２のスロット部３８を設け、奥に第２のアーム部３５の膨大部３９と４０が横外側に開いて係合する開口４１から成る第２の開口部を形成する。第１のアーム部１５と第２のスロット部３８を対向させたとき、第２のアーム部３５と第１のスロット部が対向する。【選択図】図８
0003167951.tif 000002
【実用新案登録請求の範囲】
【請求項１】
１本のバンドの両端部または２本のバンドの片端部に設けられて縦方向に着脱自在な２つの第１、第２のバックル部と、
第１のバックル部に設けられて先端部に膨大部が形成された可撓性を有する一対のアームから成る第１のアーム部と、
第２のバックル部に設けられて先端部に膨大部が形成された可撓性を有する一対のアームから成る第２のアーム部と、
第１のバックル部に形成されて第２のバックル部の第２のアーム部を撓ませながら挿入可能な第１のスロット部と、
第２のバックル部に形成されて第１のバックル部の第１のアーム部を撓ませながら挿入可能な第２のスロット部と、
第１のバックル部の第１のスロット部の奥に形成されて第２のアーム部の膨大部が横外側に開いて係合する第１の開口部と、
第２のバックル部の第２のスロット部の奥に形成されて第１のアーム部の膨大部が横外側に開いて係合する第２の開口部と、
を含み、
第１のバックル部と第２のバックル部を向かい合わせ、第１のアーム部と第２のスロット部を対向させたとき、第２のアーム部と第１のスロット部が対向するように構成したこと、
を特徴とするバックル付バンド。
【請求項２】
縦方向に着脱自在な２つの第１、第２のバックル部から成り、
第１のバックル部に、先端部に膨大部が形成された可撓性を有する一対のアームから成る第１のアーム部を設け、
第２のバックル部に、先端部に膨大部が形成された可撓性を有する一対のアームから成る第２のアーム部を設け、
第１のバックル部には更に第２のバックル部の第２のアーム部を撓ませながら挿入可能な第１のスロット部を設け、
第２のバックル部には更に第１のバックル部の第１のアーム部を撓ませながら挿入可能な第２のスロット部を設け、
第１のバックル部の第１のスロット部の奥に第２のアーム部の膨大部が横外側に開いて係合する第１の開口部を形成し、
第２のバックル部の第２のスロット部の奥に第１のアーム部の膨大部が横外側に開いて係合する第２の開口部を形成し、
第１のバックル部と第２のバックル部を向かい合わせ、第１のアーム部と第２のスロット部を対向させたとき、第２のアーム部と第１のスロット部が対向するように構成したこと、
を特徴とするバックル。
【考案の詳細な説明】
【技術分野】
【０００１】
本考案はバックル付バンド、バックルに係り、とくに一対のアームをスロットに差し込むことで嵌着するようにしたバックル付バンド、バックルに関する。
【背景技術】
【０００２】
急速な高齢化に伴い、認知症を有する老人の徘徊が社会問題化している。捜索の人的負担が大きく、人命にもかかわるため適切な対策が急務となっている。例えば、名前、住所、連絡先を記載したＩＤカード付バンドを身体に取り付けておき、発見時に身元が判るようにしたり、ＧＰＳ発信機付バンドを身体に取り付けておき、介護施設の位置表示装置で地図上に対象者の居場所をマーク表示したり、非接触で通過検出のできるＩＣチップ付バンドを身体に取り付けておき、介護施設の出入り口で通過検出するなど、種々の提案がされている。
ところで、バンドを身体に着脱自在に取り付ける場合、登録実用新案第３０５９５５７号公報に開示されているが如きバックル付バンドを用いることが考えられる。このバックル付バンドは、縦方向に着脱自在に嵌着可能な２つの第１、第２のバックル部を備えており、第１のバックル部から延びた可撓性を有し、先端に膨大部が形成された一対のアームを、第２のバックル部のスロットの中に中心寄りに撓ませながら差し込んでいくと、第２のバックル部の両側面に形成した開口にアーム先端側の膨大部が外側に広がりながら嵌まり、係止するようになっている。外す場合、２つの膨大部を指で挟んで中心寄りに撓ませながら、第１、第２のバックル部の間を離し、一対のアームをスロットから引き抜けば良い。
【０００３】
しかしながら、このようなバックル構造では、ワンタッチで脱着できる利便性があるものの、２つのアームの膨大部を片方の手の指で挟んで押し込むことで、簡単に取り外せてしまうため、本人が誤って、或いは故意に外した場合、ＩＤカードやＧＰＳ発信機やＩＣチップが役に立たなくなってしまう問題があった。
【先行技術文献】
【特許文献】
【０００４】
【特許文献１】登録実用新案第３０５９５５７号公報
【考案の概要】
【考案が解決しようとする課題】
【０００５】
本考案は上記した従来技術の問題に鑑み、両手を使わないと取り外すのが困難なバックル付バンド、バックルを提供することを、目的とする。
【課題を解決するための手段】
【０００６】
本考案の請求項１記載のバックル付バンドでは、１本のバンドの両端部または２本のバンドの片端部に設けられて縦方向に着脱自在な２つの第１、第２のバックル部と、第１のバックル部に設けられて先端部に膨大部が形成された可撓性を有する一対のアームから成る第１のアーム部と、第２のバックル部に設けられて先端部に膨大部が形成された可撓性を有する一対のアームから成る第２のアーム部と、第１のバックル部に形成されて第２のバックル部の第２のアーム部を撓ませながら挿入可能な第１のスロット部と、第２のバックル部に形成されて第１のバックル部の第１のアーム部を撓ませながら挿入可能な第２のスロット部と、第１のバックル部の第１のスロット部の奥に形成されて第２のアーム部の膨大部が横外側に開いて係合する第１の開口部と、第２のバックル部の第２のスロット部の奥に形成されて第１のアーム部の膨大部が横外側に開いて係合する第２の開口部と、を含み、第１のバックル部と第２のバックル部を向かい合わせ、第１のアーム部と第２のスロット部を対向させたとき、第２のアーム部と第１のスロット部が対向するように構成したこと、を特徴としている。
本考案の請求項２記載のバックルでは、縦方向に着脱自在な２つの第１、第２のバックル部から成り、第１のバックル部に、先端部に膨大部が形成された可撓性を有する一対のアームから成る第１のアーム部を設け、第２のバックル部に、先端部に膨大部が形成された可撓性を有する一対のアームから成る第２のアーム部を設け、第１のバックル部には更に第２のバックル部の第２のアーム部を撓ませながら挿入可能な第１のスロット部を設け、第２のバックル部には更に第１のバックル部の第１のアーム部を撓ませながら挿入可能な第２のスロット部を設け、第１のバックル部の第１のスロット部の奥に第２のアーム部の膨大部が横外側に開いて係合する第１の開口部を形成し、第２のバックル部の第２のスロット部の奥に第１のアーム部の膨大部が横外側に開いて係合する第２の開口部を形成し、第１のバックル部と第２のバックル部を向かい合わせ、第１のアーム部と第２のスロット部を対向させたとき、第２のアーム部と第１のスロット部が対向するように構成したこと、を特徴としている。
【考案の効果】
【０００７】
本考案によれば、第１のバックル部と第２のバックル部が外した状態にあるとき、第１のバックル部の第１のアーム部を第２のバックル部の第２のスロット部に挿入し膨大部を第２の開口部に係合すると、平行して第２のバックル部の第２のアーム部が第１のバックル部の第１のスロット部に挿入されて膨大部が第１の開口部に係合されるので、ワンタッチで２つの第１、第２のバックル部を結合することができる。
また、第１のバックル部と第２のバックル部が結合した状態にあるとき、第１のバックル部の第１の開口部に係合している第２のアーム部の膨大部を片方の手の親指と人差し指で挟み、押し撓ませるとともに、第２のバックル部の第２の開口部に係合している第１のアーム部の膨大部を他方の手の親指と人差し指で挟み、押し撓ませ、第１のバックル部と第２のバックル部を離間させることで、簡単に第２のアーム部を第１のスロット部から抜き、第１のアーム部を第２のスロット部から抜き、外すことができる。
この際、両手の親指と人差し指を使わないと外せないので、片手での取り外しを困難にできる。
【図面の簡単な説明】
【０００８】
【図１】本考案の第１実施例に係るバックル付のリストバンドの外観斜視図である（実施例１）。
【図２】図１中の第１のバックル部の一部省略した平面図である。
【図３】図２の側面図である。
【図４】図３のＩＶ−ＩＶ’線に沿った断面図である。
【図５】図１中の第２のバックル部の一部省略した平面図である。
【図６】図５の側面図である。
【図７】図６のＶＩＩ−ＶＩＩ’線に沿った断面図である。
【図８】第１実施例の作用説明図である。
【図９】第１実施例の作用説明図である。
【図１０】第１実施例の作用説明図である。
【図１１】第１実施例の作用説明図である。
【図１２】第１実施例の作用説明図である。
【図１３】第１実施例の作用説明図である。
【図１４】第１実施例の作用説明図である。
【図１５】本考案の第２実施例に係るバックル付のリストバンドの外観斜視図である（実施例２）。
【図１６】図１５中の第１、第２のバックル部の一部省略した外観斜視図である。
【図１７】図１５の実施例の作用説明図である。
【図１８】本考案の第３実施例に係るバックル付のリストバンドの外観斜視図である（実施例３）。
【図１９】図１８中の第１のバックル部の外観斜視図である。
【図２０】図１９の一部破断した側面図である。
【図２１】図１８中の第２のバックル部の外観斜視図である。
【図２２】図２１の一部破断した側面図である。
【図２３】第３実施例の作用説明図である。
【図２４】第３実施例の作用説明図である。
【図２５】第３実施例の作用説明図である。
【図２６】第３実施例の作用説明図である。
【図２７】第３実施例の作用説明図である。
【図２８】第１実施例の変形例に係るＧＰＳ発信機付のリストバンドの側面図である。
【考案を実施するための最良の形態】
【０００９】
以下、本考案の最良の形態を実施例に基づき説明する。
【実施例１】
【００１０】
図１を参照して本考案の第１実施例を説明する。
図１は本考案に係るリストバンドの外観斜視図である。１は手首に嵌めるリング状のリストバンドであり、嵌めたあと手首から抜けないサイズに形成されている。リストバンド１はバックル付バンドであり、一本の帯状のバンド２の両端部に第１、第２のバックル部１０、３０が一体的に設けられており、第１、第２のバックル部１０、３０を縦方向に着脱自在に嵌着可能となっている。バンド２の外側表面には、装着者の名前、住所、連絡先を記したＩＤカード５が貼着されている。
【００１１】
図２乃至図４に示す如く、第１のバックル部１０は薄い箱形の本体部１１と、本体部１１の端面１２の中央よりすぐ上の部分から軸方向外側に延設された可撓性を有する一対のアーム１３、１４から成る第１のアーム部１５と、本体部１１の中央よりすぐ下の部分に端面１２の側から内部に軸方向に沿って延設された一対の長穴状のスロット１６、１７から成る第１のスロット部１８を有している。一対のアーム１３、１４には先端部分に横外側へ矢印状に膨らんだ膨大部１９、２０が形成されている。スロット１６、１７は最奥部で本体部１１の側面に開けられた第１の開口部としての開口２１、２２に連通している。開口２１、２２には各々後述する第２のバックル部３０のアームの膨大部（図５の符号３９、４０参照）が係脱自在に係合可能となっている。
【００１２】
図５乃至図７に示す如く、第２のバックル部３０は薄い箱形の本体部３１と、本体部３１の端面３２の中央よりすぐ下の部分から軸方向外側に延設された可撓性を有する一対のアーム３３、３４から成る第２のアーム部３５と、本体部３１の下半部分に端面３２の中央よりすぐ上から内部に軸方向に沿って延設された一対の長穴状のスロット３６、３７から成る第２のスロット部３８を有している。一対のアーム３３、３４には先端部分に横外側へ矢印状に膨らんだ膨大部３９、４０が形成されている。スロット３６、３７は最奥部で本体部３１の側面に開けられた第２の開口部としての開口４１、４２に連通している。開口４１、４２には各々第１のバックル部１０のアーム１３、１４の膨大部１９、２０が係脱自在に係合可能となっている。
【００１３】
第１のバックル部１０と第２のバックル部３０を向かい合わせたとき、第１のアーム部１５と第２のスロット部３８が対向し、第２のアーム部と第１のスロット部１８が対向するようになっている。そして、第１のバックル部１０の第１のアーム部１５の一対のアーム１３、１４を第２のバックル部３０の第２のスロット部３８の一対のスロット３６、３７に挿入し膨大部１９、２０を第２の開口部としての開口４１、４２に係合すると、平行して第２のバックル部３０の第２のアーム部３５の一対のアーム３３、２４が第１のスロット部１８の一対のスロット１６、１７に挿入されて膨大部３９、４０が第１の開口部としての開口２１、２２に係合されるようになっている。
【００１４】
次に、図８乃至図１４を参照して上記した実施例の作用を説明する。
（１）リストバンドの取り付け
第１、第２のバックル部１０、３０が外れた状態でＩＤカード５の貼著されたリストバンド１を対象者の手首に回し、第１のバックル部１０と第２のバックル部３０を向かい合わせ（図８（１）、図９（１）、（２）参照）、一対のアーム１３、１４と一対のアーム３３、３４を重ねながら（図８（２）、図１０（１）、（２）参照）、一対のアーム１３、１４を第２のバックル部３０の一対のスロット３６、３７に当てると、一対のアーム３３、３４が第１のバックル部１０の一対のスロット１６、１７に当たり、更に押し込むと、膨大部１９、２０が中心寄りに押されて一対のアーム１３、１４が中心寄りに撓みスロット１６、１７の内部に入り込み、平行して膨大部３９、４０が中心寄りに押されて一対のアーム３３、３４が中心寄りに撓みスロット３６、３７の内部に入り込む（図８（３）、図１１（１）、（２）参照）。
一対のアーム１３、１４をスロット１６、１７の奥まで入れると、膨大部１９、２０が横外側に広がり、開口４１、４２に係合し、一部が本体部３１の側面から突出し、平行して、膨大部３９、４０が横外側に広がり、開口１１、１２に係合し、一部が本体部１１の側面から突出する。これにより、第１のバックル部１０と第２のバックル部３０が嵌着される（図１２（１）、（２）参照）。
【００１５】
（２）誤って外そうとした場合
対象者がリストバンド１を取り付けていない他方の手で取り外そうとして、例えば図１３に示す如く、第１のバックル部１０の側の膨大部３９、４０を親指と人差し指で挟み押し込んだ場合（矢印Ａ、Ａ´参照）、開口２１、２２と一対のアーム３３、３４の係合が外れる。けれども、反対の第２のバックル部３０の側の膨大部１９、４０が開口４１、４２と係合したままなので、第１のバックル部１０と第２のバックル部３０を引き離そうとしても外れない。同様に、第２のバックル部３０の側の膨大部１９、２０を親指と人差し指で挟み押し込んだ場合、開口１１、１２と一対のアーム３３、３４の係合が外れる。けれども、反対の第２のバックル部１０の側の膨大部１９、２０が開口３１、３２と係合したままなので、第１のバックル部１０と第２のバックル部３０を引き離そうとしても外れない。これにより、対象者にリストバンド１を外される恐れがなくなる。
【００１６】
（３）リストバンドの取り外し
他の者が対象者からリストバンド１を取り外したい場合、図１４に示す如く片方の手の親指と人差し指で第１のバックル部１０の側の膨大部３９、４０を挟んで開口１１、１２の中に押し込み（矢印Ａ、Ａ´参照）、中心寄りに撓ませて開口１１、１２と一対のアーム３３、３４の係合を外すと同時に、他方の手の親指と人差し指で第２のバックル部３０の側の膨大部１９、２０を挟んで開口３１、３２の中に押し込み（矢印Ｂ、Ｂ´参照）、中心寄りに撓ませて開口３１、３２と一対のアーム１３、１４の係合を外し、この状態で第１のバックル部１０と第２のバックル部３０を引き離す。すると、アーム３３、３４がスロット１６、１７から抜け出るとともにアーム１３、１４がスロット３６、３７から抜け出て、第１のバックル部１０と第２のバックル部３０を外すことができる。
【００１７】
この実施例によれば、第１のバックル部１０と第２のバックル部３０が外した状態にあるとき、第１のバックル部１０の第１のアーム部１５を第２のスロット部３８に挿入し膨大部１９、２０を第２の開口部としての開口４１、４２に係合すると、平行して第２のバックル部３０の第２のアーム部３５が第１のスロット部１８に挿入されて膨大部３９、４０が第１の開口部としての開口２１、２２に係合されるので、ワンタッチで２つの第１、第２のバックル部１０、３０を結合することができる。
また、第１のバックル部１０と第２のバックル部３０が結合した状態にあるとき、第１のバックル部１０の第１の開口部としての開口２１、２２に係合している第２のアーム部３５の膨大部３９、４０を片方の手の親指と人差し指で挟み、押し撓ませるとともに、第２のバックル部３０の第２の開口部としての開口４１、４２に係合している第１のアーム部１５の膨大部１９、２０を他方の手の親指と人差し指で挟み、押し撓ませ、第１のバックル部１０と第２のバックル部３０を離間させることで、簡単に第２のアーム部３５を第１のスロット部１８から抜き、第１のアーム部１５を第２のスロット部３８から抜き、外すことができる。
この際、両手の親指と人差し指を使わないと外せないので、片手での取り外しを困難にできる。
【実施例２】
【００１８】
次に図１５を参照して本考案の第２実施例を説明する。図１５は本考案に係るリストバンドの外観斜視図である。なお、図１と同一の構成部分には同一の符号が付してある。
図１の実施例では、第１のバックル部の第１のアーム部と第２のバックル部の第２のアーム部を平行に配設した場合を示したが、第２実施例では９０度回した位置に配設した場合を示す。
リストバンド１Ａは、１本の帯状のバンド２Ａの両端部に一体的に設けられた第１のバックル部１０Ａと第２のバックル部３０Ａを縦方向に着脱自在に嵌着可能になっている。図１６に示す如く、第１のバックル部１０Ａは略円柱状の本体部１１Ａと、本体部１１Ａの端面１２Ａの真ん中の上下に並べて軸方向外側に延設された可撓性を有する一対のアーム１３Ａ、１４Ａから成る第１のアーム部１５Ａと、本体部１１Ａの端面１２Ａの真ん中の左右に並べられて、端面１２Ａの側から内部に軸方向に沿って延設された一対の長穴状のスロット１６Ａ、１７Ａから成る第１のスロット部１８Ａを有している。一対のアーム１３Ａ、１４Ａには先端部分に横外側へ矢印状に膨らんだ膨大部１９、２０が形成されている。スロット１６Ａ、１７Ａは最奥部で本体部１１Ａの左右側面に開けられた第１の開口部としての開口２１Ａ、２２Ａに連通している。開口２１Ａ、２２Ａには各々後述する第２のバックル部３０Ａのアームの膨大部（図１６の符号３９、４０参照）が係脱自在に係合可能となっている。
【００１９】
第２のバックル部３０Ａは略円柱状の本体部３１Ａと、本体部３１Ａの端面３２Ａの真ん中の左右に並べて軸方向外側に延設された可撓性を有する一対のアーム３３Ａ、３４Ａから成る第１のアーム部３５Ａと、本体部３１Ａの端面３２Ａの真ん中の上下に並べて、端面３２Ａの側から内部に軸方向に沿って延設された一対の長穴状のスロット３６Ａ、３７Ａから成る第２のスロット部３８Ａを有している。一対のアーム３３Ａ、３４Ａには先端部分に横外側へ矢印状に膨らんだ膨大部３９、４０が形成されている。スロット３６Ａ、３７Ａは最奥部で本体部３１Ａの上下側面に開けられた第１の開口部としての開口４１Ａ、４２Ａに連通している。開口４１Ａ、４２Ａには各第１のバックル部１０Ａのアーム１３Ａ、１４Ａの膨大部１９、２０が係脱自在に係合可能となっている。
【００２０】
第１のバックル部１０Ａと第２のバックル部３０Ａを向かい合わせたとき、第１のアーム部１５Ａと第２のスロット部３８Ａが対向し、第２のアーム部３５Ａと第１のスロット部１８Ａが対向するようになっている。第１のバックル部１０Ａの第１のアーム部１５Ａの一対のアーム１３Ａ、１４Ａを第２のバックル部３０Ａの第２のスロット部３８Ａの一対のスロット３６Ａ、３７Ａに挿入し膨大部１９、２０を第２の開口部としての開口４１Ａ、４２Ａに係合すると、平行して第２のバックル部３０Ａの第２のアーム部３５Ａの一対のアーム３３Ａ、３４Ａが第１のスロット部１８Ａの一対のスロット１６Ａ、１７Ａに挿入されて膨大部３９、４０が第１の開口部としての開口２１Ａ、２２Ａに係合されるようになっている。
その他の構成部分は図１と同様に構成されている。
【００２１】
この第２実施例によっても、第１実施例と同様に、第１のバックル部１０Ａと第２のバックル部３０Ａが外した状態にあるとき、第１のバックル部１０Ａと第２のバックル部３０Ａを第１のアーム部１５Ａと第２のアーム部３５Ａが直交するように向かい合わせ（図１７参照）、第１のバックル部１０Ａの第１のアーム部１５Ａを第２のスロット部３８Ａに挿入し膨大部１９、２０を第２の開口部としての開口４１Ａ、２２Ａに係合すると、平行して第２のバックル部３０Ａの第２のアーム部３５Ａが第１のスロット部１８Ａに挿入されて膨大部３９、４０が第１の開口部としての開口２１Ａ、２２Ａに係合されるので、ワンタッチで２つの第１、第２のバックル部１０Ａ、３０Ａを結合することができる（図１５参照）。
また、第１のバックル部１０Ａと第２のバックル部３０Ａが結合した状態にあるとき、第１のバックル部１０Ａの第１の開口部としての開口２１Ａ、２２Ａに係合している第２のアーム部３５Ａの膨大部４１、４２を片方の手の親指と人差し指で挟み、押し撓ませるとともに、第２のバックル部３０Ａの第２の開口部としての開口４１Ａ、４２Ａに係合している第１のアーム部１５Ａの膨大部１９、２０を他方の手の親指と人差し指で挟み、押し撓ませ、第１のバックル部１０Ａと第２のバックル部３０Ａを離間させることで、簡単に第２のアーム部３５Ａを第１のスロット部１８Ａから抜き、第１のアーム部１５Ａを第２のスロット部３８Ａから抜き、外すことができる。
この際、両手の親指と人差し指を使わないと外すことができず、かつ、両手を９０度違う向きにする必要があるので、片手での取り外しを一層困難にできる。
【実施例３】
【００２２】
次に図１８を参照して本考案の第３実施例を説明する。図１８は本考案に係るリストバンドの外観斜視図である。なお、図１と同一の構成部分には同一の符号が付してある。
図１の実施例では、１本のバンドの両端部に第１のバックル部と第２のバックル部を一体的に設けるとともに、第１のバックル部の本体部の側面に形成した一対の開口に第２のアーム部の膨大部が係合し、第２のバックル部の本体部の側面に形成した一対の開口に第１のアーム部の膨大部が係合するようにしたが、第３実施例では、バンドと第１のバックル部と第２のバックル部を別体とし、かつ、第１のバックル部の本体部の背面に形成した開口に第２のアーム部の膨大部が係合し、第２のバックル部の本体部の背面に形成した開口に第１のアーム部の膨大部が係合するようにした例を示す。
【００２３】
図１８の帯状のバンド２Ｂの両端部には、図１９、図２１に示す如く上断面がノコギリ波状の差し込み部５０、５１が形成されている。第１のバックル部１０Ｂは図１９、図２０に示す如く箱形の本体部１１Ｂと、本体部１１Ｂの一端面１２の上部から軸方向外側に延設された可撓性を有する一対のアーム１３、１４から成る第１のアーム部１５と、本体部１１Ｂの下部に端面１２の側から内部に軸方向に沿って反対側の端面１２Ｂまで直線的に貫通された一対の長穴状のスロット１６Ｂ、１７Ｂから成る第１のスロット部１８Ｂと、本体部１１Ｂの上部に端面１２Ｄから開けられたバンド差し込み穴６０を有している。スロット１６Ｂ、１７Ｂの端面１２Ｂの側は第１の開口部としての開口２１Ｂ、２２Ｂとなっている。開口２１Ｂ、２２Ｂには各々後述する第２のバックル３０Ｂの一対のアームの膨大部（図２１の符号３９、４０参照）が係脱自在に係合可能となっている。バンド差し込み穴６０の上壁断面はノコギリ波状に形成されており、バンド２Ｂの差し込み部５０が差し込まれると、噛合して抜けないようになっている。
【００２４】
第２のバックル部３０Ｂは図２１、図２２に示す如く箱形の本体部３１Ｂと、本体部３１Ｂの一端面３２の下部から軸方向外側に延設された可撓性を有する一対のアーム３３、３４から成る第２のアーム部３５と、本体部３１Ｂの上部に端面３２の側から内部に軸方向に沿って反対側の端面３２Ｂまで直線的に貫通された一対の長穴状のスロット３６Ｂ、３７Ｂから成る第２のスロット部３８Ｂと、本体部３１Ｂの下部に端面３２Ｂから開けられたバンド差し込み穴６１を有している。スロット３６Ｂ、３７Ｂの端面３２Ｂの側は第２の開口部としての開口４１Ｂ、４２Ｂとなっている。開口４１Ｂ、４２Ｂには第１のバックル１０Ｂの一対のアーム１３、１４の膨大部１９、２０が係脱自在に係合可能となっている。バンド差し込み穴６１の上壁断面はノコギリ波状に形成されており、バンド２Ｂの差し込み部５１が差し込まれると、噛合して抜けないようになっている。
【００２５】
第１のバックル部１０Ｂと第２のバックル部３０Ｂを向かい合わせたとき、第１のアーム部１５と第２のスロット部１８Ｂが対向し、第２のアーム部３５と第１のスロット部３８Ｂが対向するようになっている。第１のバックル部１０Ｂの第１のアーム部１５の一対のアーム１３、１４を第２のバックル部３０Ｂの第２のスロット部３８の一対のスロット３６Ｂ、３７Ｂに挿入し膨大部１９、２０を第２の開口部としての開口４１Ｂ、４２Ｂに係合すると、平行して第２のバックル部３０Ｂの第２のアーム部３５の一対のアーム３３、２４が第１のスロット部１８Ｂの一対のスロット１６Ｂ、１７Ｂに挿入されて膨大部３９、４０が第１の開口部としての開口２１Ｂ、２２Ｂに係合されるようになっている。
その他の構成部分は、図１のリストバンドと同様に構成されている。
【００２６】
図２３乃至図２７を参照して上記した実施例の作用を説明する。
（１）リストバンドの組み立て
初め、バンド２Ｂ、第１のバックル部１０Ｂ、第２のバックル部３０Ｂが分離した状態にあるとき、バンド２Ｂの一端側の差し込み部５０をノコギリ波の面を上にして第１のバックル部１０Ｂのバンド差し込み穴６０の中に差し込み、抜けないように歯合させ（図２３参照）、バンド２Ｂの他端側の差し込み部５１をノコギリ波の面を上にして第２のバックル部３０Ｂのバンド差し込み穴６１の中に差し込み、抜けないように歯合させて一体化しておく（図２４参照）。
【００２７】
（２）リストバンドの取り付け
次に、図１のリストバンド１と同様に、リストバンド１Ｂを対象者の手首に回し、第１のバックル部１０Ｂと第２のバックル部３０Ｂを向かい合わせ、一対のアーム１３、１４と一対のアーム３３、３４を重ねながら、一対のアーム１３、１４を第２のバックル部３０Ｂの一対のスロット３６Ｂ、３７Ｂに当てると、一対のアーム３３、３４が第１のバックル部１０Ｂの一対のスロット１６Ｂ、１７Ｂに当たり、更に押し込むと、膨大部１９、２０が中心寄りに押されて一対のアーム１３、１４が中心寄りに撓みスロット１６Ｂ、１７Ｂの内部に入り込み、平行して膨大部３９、４０が中心寄りに押されて一対のアーム３３、３４が中心寄りに撓みスロット３６Ｂ、３７Ｂの内部に入り込む（図２５参照）。
一対のアーム１３、１４の膨大部１９、２０を開口４１Ｂ、４２Ｂの外に出るまで入れると、膨大部１９、２０が横外側に広がり、開口４１Ｂ、４２Ｂに係合し、平行して、膨大部３９、４０が開口１１Ｂ、１２Ｂの外に出て横外側に広がり、開口１１Ｂ、１２Ｂに係合する（図２６参照）。これにより、第１のバックル部１０Ｂと第２のバックル部３０Ｂが嵌着される。
【００２８】
（３）リストバンドの取り外し
他の者が対象者からリストバンド１Ｂを取り外したい場合、片方の手の親指と人差し指で第１のバックル部１０Ｂの側の膨大部３９、４０を挟んで中心寄りに撓ませて開口１１Ｂ、１２Ｂと一対のアーム３３、３４の係合を外すと同時に（図２７の矢印Ａ、Ａ´参照）、他方の手の親指と人差し指で第２のバックル部３０Ｂの側の膨大部１９、２０を挟んで中心寄りに撓ませて開口３１Ｂ、３２Ｂと一対のアーム１３、１４の係合を外し（図２７の矢印Ｂ、Ｂ´参照）、この状態で第１のバックル部１０Ｂと第２のバックル部３０Ｂを引き離す。すると、アーム３３、３４がスロット１６Ｂ、１７Ｂから抜け出るとともにアーム１３、１４がスロット３６Ｂ、３７Ｂから抜け出て、第１のバックル部１０Ｂと第２のバックル部３０Ｂを外すことができる。
【００２９】
この実施例によっても、図１の第１実施例と同様に、ワンタッチで２つの第１、第２のバックル部１０Ｂ、３０Ｂを結合することができるとともに、両手の親指と人差し指を使わないと外せないので、片手での取り外しを困難にできる。
また、バンド２Ｂと第１、第２のバックル部１０Ｂ、３０Ｂが別体なので、バンド２Ｂと第１、第２のバックル部１０Ｂ、３０Ｂの材質を適宜変えることができる。
【００３０】
なお、上記した各実施例では、一本のバンドの両側に第１、第２のバックル部を設ける場合を例に挙げたが、本考案は何らこれに限定されず、二本のバンドの内、一方のバンドの片端部に第１のバックル部を設け、他方のバンドの片端部に第２のバックル部を設けるようにしても良い。例えば、第１実施例に示した第１、第２のバックル部１０、３０を例にすると、図２８に示す如く、小型のＧＰＳ発信機７０の両側に２つのバンド７１、７２の片側を取り付けておき、一方のバンド７１のＧＰＳ発信機７０とは反対側の端部に第１のバックル部１０を設け、他方のバンド７２のＧＰＳ発信機７０とは反対側の端部に第２のバックル部３０を設けるようにしても良い。
【産業上の利用可能性】
【００３１】
本考案は、ＩＤカード、ＩＣチップ、ＧＰＳ発信機を手首や腕などに取り付けるリストバンド、アームバンドは勿論のことファッション用や、身体以外に用いるバンドなどにも適用可能である。
【符号の説明】
【００３２】
１、１Ａ、１Ｂ  リストバンド
１０、１０Ａ、１０Ｂ  第１のバックル部
１３、１３Ａ、１４、１４Ａ、３３、３３Ａ、３４、３４Ａ  アーム
１５、１５Ａ  第１のアーム部
１６、１６Ａ、１６Ｂ、１７、１７Ａ、１７Ｂ、３６、３６Ａ、３６Ｂ、３７、３７Ａ、３７Ｂ  スロット
１８、１８Ａ、１８Ｂ  第１のスロット部
１９、２０、３９、４０  膨大部
２１、２１Ａ、２１Ｂ、２２、２２Ａ、２２Ｂ、４１、４１Ａ、４１Ｂ、４２、４２Ａ、４２Ｂ  開口
３０、３０Ａ、３０Ｂ  第２のバックル部
３５、３５Ａ  第２のアーム部
３８、３８Ａ、３８Ｂ  第２のスロット部
【図１】
0003167951.tif 000003
【図２】
0003167951.tif 000004
【図３】
0003167951.tif 000005
【図４】
0003167951.tif 000006
【図５】
0003167951.tif 000007
【図６】
0003167951.tif 000008
【図７】
0003167951.tif 000009
【図８】
0003167951.tif 000010
【図９】
0003167951.tif 000011
【図１０】
0003167951.tif 000012
【図１１】
0003167951.tif 000013
【図１２】
0003167951.tif 000014
【図１３】
0003167951.tif 000015
【図１４】
0003167951.tif 000016
【図１５】
0003167951.tif 000017
【図１６】
0003167951.tif 000018
【図１７】
0003167951.tif 000019
【図１８】
0003167951.tif 000020
【図１９】
0003167951.tif 000021
【図２０】
0003167951.tif 000022
【図２１】
0003167951.tif 000023
【図２２】
0003167951.tif 000024
【図２３】
0003167951.tif 000025
【図２４】
0003167951.tif 000026
【図２５】
0003167951.tif 000027
【図２６】
0003167951.tif 000028
【図２７】
0003167951.tif 000029
【図２８】
0003167951.tif 000030